(57)【要約】【課題】一次電池を用意することが必要なく、収納スペースが掛からず、市電が切られたときに懐中電灯または緊急照明装置を探す必要がない。【解決手段】支持チューブ３２に脱着可能であり、発光子４０と、笠４１と、電気的連接子４２と、蓄電モジュール４３と、を含む照明装置３４において、笠４１は、開口４４を有し、発光子４０を収容し、発光子４０からの光線が開口４４を通過して外部を照明し、電気的連接子４２は、笠４１の一側に組み付けられ、発光子４０と電気的に連接し、支持チューブ３２の電源子５０に脱着可能であり、蓄電モジュール４３は、電気的連接子４２および発光子４０とそれぞれ電気的に連接し、支持チューブ３２に照明装置３４を取付けた場合には、蓄電モジュール４３が電気的連接子４２を介して電源子５０からの電力を受けて充電され、支持チューブ３２から照明装置３４を取外した場合には、蓄電モジュール４３が電源とされ発光子４０に電力を供給する。【選択図】図３
2010272501.tif 000002
【特許請求の範囲】
【請求項１】
支持チューブに脱着可能であり、前記支持チューブの電源子と電気的に連接し、発光子と、笠と、電気的連接子と、蓄電モジュールと、を含む照明装置において、
前記発光子は、発光することができ、
前記笠は、開口を有し、前記発光子を収容し、前記発光子からの光線が前記開口を通過して外部を照明し、
前記電気的連接子は、前記笠の一側に組み付けられ、前記発光子と電気的に連接し、前記支持チューブの電源子に脱着可能であり、前記支持チューブに照明装置を取付けた場合には、前記電気的連接子が前記電源子に差し込まれ、前記発光子は、前記電気的連接子を介して前記電源子からの電力を受けて発光し、
前記蓄電モジュールは、前記電気的連接子および前記発光子とそれぞれ電気的に連接し、前記支持チューブに照明装置を取付けた場合には、前記蓄電モジュールが前記電気的連接子を介して前記電源子からの電力を受けて充電され、前記支持チューブから照明装置を取外した場合には、前記蓄電モジュールが電源とされ前記発光子に電力を供給することを特徴とする照明装置。
【請求項２】
前記支持チューブに当該証明装置を結合することにより電気スタンドが構成され、前記支持チューブは、更に、台座と、アームと、を含み、前記アームの一端が前記台座に固定され、前記アームの他端には、前記電源子が組み付けられることを特徴とする、請求項１に記載の照明装置。
【請求項３】
更に、スイッチと、制御回路板と、を含み、前記スイッチは、前記笠の表面に設けられ、前記発光子と電気的に連接し、前記発光子のオン又はオフを制御し、前記制御回路板は、前記笠の内部に固定され、前記電気的連接子および前記スイッチと電気的に連接し、充電電力が切られ、又は照明装置が前記支持チューブから取外されることによって前記電気的連接子が前記電源子から離脱する場合には、前記制御回路板により前記発光子が自動的に点灯され、そして前記スイッチは、前記発光子をオン又はオフ状態を制御することができることを特徴とする、請求項１又は２に記載の照明装置。
【請求項４】
前記電源子は、第１充電コネクタと、第１発光給電コネクタと、を含み、それに応じて、前記電気的連接子は、第２充電コネクタと、第２発光給電コネクタと、を含み、前記第２充電コネクタが前記蓄電モジュールと電気的に連接し、前記第２発光給電コネクタが前記発光子と電気的に連接し、前記支持チューブに照明装置を組付けた場合には、前記第１充電コネクタが前記第２充電コネクタと電気的に連接し、前記第１発光給電コネクタが前記第２発光給電コネクタと電気的に連接することを特徴とする、請求項１から３のいずれか一項に記載の照明装置。
【請求項５】
支持チューブと、照明装置と、から構成される電気スタンドにおいて、
前記支持チューブは、電源子を含み、
前記照明装置は、前記支持チューブに脱着可能であり、更に、発光子と、笠と、電気的連接子と、蓄電モジュールと、を含み、
前記発光子は、発光することができ、
前記笠は、開口を有し、前記発光子を収容し、前記発光子からの光線が前記開口を通過して外部を照明し、
前記電気的連接子は、前記笠の一側に組み付けられ、前記発光子と電気的に連接し、前記支持チューブの電源子に脱着可能であり、前記支持チューブに照明装置を取付けた場合には、前記電気的連接子が前記電源子に差し込まれ、前記発光子は、前記電気的連接子を介して前記電源子からの電力を受けて発光し、
前記蓄電モジュールは、前記電気的連接子および前記発光子とそれぞれ電気的に連接し、前記支持チューブに照明装置を取付けた場合には、前記蓄電モジュールが前記電気的連接子を介して前記電源子からの電力を受けて充電され、前記支持チューブから照明装置を取外した場合には、前記蓄電モジュールが電源とされ前記発光子に電力を供給することを特徴とする電気スタンド。
【請求項６】
前記支持チューブは、更に、台座と、アームと、を含み、前記アームの一端が前記台座に固定され、前記アームの他端には、前記電源子が組み付けられることを特徴とする、請求項５に記載の電気スタンド。
【請求項７】
前記アームは回動構造を介して前記台座に固定され、前記回動構造は、更に、下部連接具と、上部連接具と、を含み、
前記下部連接具は、前記台座に固定され、回動可能収容空間を有し、
前記上部連接具は、アームの一端に固定され、膨大な回動部材を有し、前記回動部材は、回動可能に前記回動可能収容空間に収容され、前記回動可能収容空間に規制され、
これにより、前記アームは、前記台座に対して回動することができることを特徴とする、請求項６に記載の電気スタンド。
【請求項８】
前記回動部材の前記台座に隣接する表面には、第１干渉ブロックが少なくとも一つ設けられ、前記台座の前記回動部材に隣接する表面には、第２干渉ブロックが少なくとも一つ設けられ、前記回動可能収容空間の内部に前記回動部材が回転しているときには、前記第１干渉ブロックが前記第２干渉ブロックと干渉し、これにより、前記アームの前記台座に対する回動可能な角度が規制されることを特徴とする、請求項７に記載の電気スタンド。
【請求項９】
前記支持チューブは、更に、前記支持チューブに取付けられた発光子のオン又はオフ状態を制御する電気スタンドスイッチを有することを特徴とする、請求項５から８のいずれか一項に記載の電気スタンド。
【請求項１０】
前記電気スタンドスイッチは、前記上部連接具と前記アームの一端との間に挟まれ、前記台座から外部に露出する上面を有することを特徴とする、請求項９に記載の電気スタンド。
【請求項１１】
前記電気スタンドスイッチは感光性抵抗であることを特徴とする、請求項９又は１０に記載の電気スタンド。
【請求項１２】
前記照明装置は、更に、スイッチと、制御回路板と、を含み、前記スイッチは、前記笠の表面に設けられ、前記発光子と電気的に連接し、前記発光子のオン又はオフを制御し、前記制御回路板は、前記笠の内部に固定され、前記電気的連接子および前記スイッチと電気的に連接し、充電電力が切られ、又は照明装置が前記支持チューブから取外されることによって前記電気的連接子が前記電源子から離脱する場合には、前記制御回路板により前記発光子が自動的に点灯され、そして前記スイッチは、前記発光子をオン又はオフ状態を制御することができることを特徴とする、請求項５から１１のいずれか一項に記載の電気スタンド。
【請求項１３】
前記電源子は、第１充電コネクタと、第１発光給電コネクタと、を含み、それに応じて、前記電気的連接子は、第２充電コネクタと、第２発光給電コネクタと、を含み、前記第２充電コネクタが前記蓄電モジュールと電気的に連接し、前記第２発光給電コネクタが前記発光子と電気的に連接し、前記支持チューブに照明装置を組付けた場合には、前記第１充電コネクタが前記第２充電コネクタと電気的に連接し、前記第１発光給電コネクタが前記第２発光給電コネクタと電気的に連接することを特徴とする、請求項５から１２のいずれか一項に記載の電気スタンド。
【請求項１４】
前記アームの他端には、第１連接部材が設けられ、前記照明装置の前記支持チューブと連接する端部には、第２連接部材が設けられ、前記支持チューブに前記照明装置を脱着可能にするために、前記第１連接部材と前記第２連接部材との形状は互いに嵌合可能な形状にされることを特徴とする、請求項６から８のいずれか一項に記載の電気スタンド。
【請求項１５】
前記アームには、シャフトが設けられ、前記シャフトにより前記照明装置を前記アームに寄らせて収納可能であることを特徴とする、請求項６から８、及び１４のいずれか一項に記載の電気スタンド。
【請求項１６】
前記電気的連接子は、電子装置と電気的に連接するコネクタであり、これにより、前記コネクタが前記電子装置から電力を取ることができることを特徴とする、請求項５から１５のいずれか一項に記載の電気スタンド。
【請求項１７】
前記電気的連接子は、自動車の電源コンセントと電気的に連接する自動車用アダプターと電気的に連接し、これにより、前記電気的連接子は前記自動車用アダプターから電力を取ることができることを特徴とする、請求項５から１５のいずれか一項に記載の電気スタンド。
【請求項１８】
前記電気的連接子は、風力発電装置と電気的に連接し、これにより、前記電気的連接子は前記風力発電装置から電力を取ることができることを特徴とする、請求項５から１５のいずれか一項に記載の電気スタンド。
【請求項１９】
前記電気的連接子は、ソーラーエネルギー電池と電気的に連接し、これにより、ソーラーエネルギー電池から電力を取ることができることを特徴とする、請求項５から１５のいずれか一項に記載の電気スタンド。
【発明の詳細な説明】
【技術分野】
【０００１】
本発明は、照明装置とそれを有する電気スタンドに関し、特に、照明用の電気スタンドと、電気スタンドに脱着可能な照明装置とに関するものである。
【背景技術】
【０００２】
電気スタンドは、卓面または地面に安定に置かれ、卓面または室内を照明するためのものである。従来の電気スタンドは、市電だけを利用するので、電気代がより経済的であるが、市電が切られた後に、照明機能が喪失する問題があった。
【０００３】
上記の問題を解決するために、懐中電灯または緊急照明装置が利用され、これらは、一次電池を使用し、平常時に特定な場所に収納される。しかし、一次電池を使用する場合には、一次電池は、充電不能であるので、経済性が悪く、且つ自己放電があるので、使用したいときに電力が切れる可能性がある。そして平常時に懐中電灯または緊急照明装置が特定な場所に収納されるので、収納スペースが掛かり、市電が切られたときには、懐中電灯または緊急照明装置を即時に取り出すことが困難である。
【発明の概要】
【発明が解決しようとする課題】
【０００４】
本発明の主な目的は、平常時に電気スタンドとして利用され、市電が切られたときに電気スタンドから照明装置を取り出して照明装置を懐中電灯または緊急照明装置として利用され、一次電池を用意することが必要なく、収納スペースが掛からず、市電が切られたときに懐中電灯または緊急照明装置を探す必要がない照明装置とそれを有する電気スタンドを提供することにある。
【課題を解決するための手段】
【０００５】
本発明の請求項１に記載の照明装置によると、支持チューブに脱着可能であり、支持チューブの電源子と電気的に連接し、発光子と、笠と、電気的連接子と、蓄電モジュールと、を含む照明装置において、発光子は、発光することができ、笠は、開口を有し、発光子を収容し、発光子からの光線が開口を通過して外部を照明し、電気的連接子は、笠の一側に組み付けられ、発光子と電気的に連接し、支持チューブの電源子に脱着可能であり、支持チューブに照明装置を取付けた場合には、電気的連接子が電源子に差し込まれ、発光子は、電気的連接子を介して電源子からの電力を受けて発光し、蓄電モジュールは、電気的連接子および発光子とそれぞれ電気的に連接し、支持チューブに照明装置を取付けた場合には、蓄電モジュールが電気的連接子を介して電源子からの電力を受けて充電され、支持チューブから照明装置を取外した場合には、蓄電モジュールが電源とされ発光子に電力を供給することを特徴とする照明装置である。
【０００６】
本発明の請求項２に記載の照明装置によると、支持チューブに当該証明装置を結合すると電気スタンドが構成され、支持チューブは、更に、台座と、アームと、を含み、アームの一端が台座に固定され、アームの他端には、電源子が組み付けられる。
【０００７】
本発明の請求項３に記載の照明装置によると、更に、スイッチと、制御回路板と、を含み、スイッチは、笠の表面に設けられ、発光子と電気的に連接し、発光子のオン又はオフを制御し、制御回路板は、笠の内部に固定され、電気的連接子およびスイッチと電気的に連接し、充電電力が切られ、又は照明装置が支持チューブから取外されることによって電気的連接子が電源子から離脱する場合には、制御回路板により発光子が自動的に点灯され、そしてスイッチは、発光子をオン又はオフ状態を制御することができる。
【０００８】
本発明の請求項４に記載の照明装置によると、電源子は、第１充電コネクタと、第１発光給電コネクタと、を含み、それに応じて、電気的連接子は、第２充電コネクタと、第２発光給電コネクタと、を含み、第２充電コネクタが蓄電モジュールと電気的に連接し、第２発光給電コネクタが発光子と電気的に連接し、支持チューブに照明装置を組付けた場合には、第１充電コネクタが第２充電コネクタと電気的に連接し、第１発光給電コネクタが第２発光給電コネクタと電気的に連接する。
【０００９】
本発明の請求項５に記載の電気スタンドによると、支持チューブと、照明装置と、から構成される電気スタンドにおいて、支持チューブは、電源子を含み、照明装置は、支持チューブに脱着可能であり、更に、発光子と、笠と、電気的連接子と、蓄電モジュールと、を含み、発光子は、発光することができ、笠は、開口を有し、発光子を収容し、発光子からの光線が開口を通過して外部を照明し、電気的連接子は、笠の一側に組み付けられ、発光子と電気的に連接し、支持チューブの電源子に脱着可能であり、支持チューブに照明装置を取付けた場合には、電気的連接子が電源子に差し込まれ、発光子は、電気的連接子を介して電源子からの電力を受けて発光し、蓄電モジュールは、電気的連接子および発光子とそれぞれ電気的に連接し、支持チューブに照明装置を取付けた場合には、蓄電モジュールが電気的連接子を介して電源子からの電力を受けて充電され、支持チューブから照明装置を取外した場合には、蓄電モジュールが電源とされ発光子に電力を供給する。
【００１０】
本発明の請求項６に記載の電気スタンドによると、支持チューブは、更に、台座と、アームと、を含み、アームの一端が台座に固定され、アームの他端には、電源子が組み付けられる。
【００１１】
本発明の請求項７に記載の電気スタンドによると、アームは回動構造を介して台座に固定され、回動構造は、更に、下部連接具と、上部連接具と、を含み、下部連接具は、台座に固定され、回動可能収容空間を有し、上部連接具は、アームの一端に固定され、膨大な回動部材を有し、回動部材は、回動可能に回動可能収容空間に収容され、回動可能収容空間に規制され、これにより、アームは、台座に対して回動することができる。
【００１２】
本発明の請求項８に記載の電気スタンドによると、回動部材の台座に隣接する表面には、第１干渉ブロックが少なくとも一つ設けられ、台座の回動部材に隣接する表面には、第２干渉ブロックが少なくとも一つ設けられ、回動可能収容空間の内部に回動部材が回転しているときには、第１干渉ブロックが第２干渉ブロックと干渉し、これにより、アームの台座に対する回動可能な角度が規制される。
【００１３】
本発明の請求項９に記載の電気スタンドによると、支持チューブは、更に、支持チューブに取付けられた発光子のオン又はオフ状態を制御する電気スタンドスイッチを有する。
【００１４】
本発明の請求項１０に記載の電気スタンドによると、電気スタンドスイッチは、上部連接具とアームの一端との間に挟まれ、台座から外部に露出する上面を有する。
【００１５】
本発明の請求項１１に記載の電気スタンドによると、電気スタンドスイッチは感光性抵抗である。
【００１６】
本発明の請求項１２に記載の電気スタンドによると、照明装置は、更に、スイッチと、制御回路板と、を含み、スイッチは、笠の表面に設けられ、発光子と電気的に連接し、発光子のオン又はオフを制御し、制御回路板は、笠の内部に固定され、電気的連接子およびスイッチと電気的に連接し、充電電力が切られ、又は照明装置が支持チューブから取外されることによって電気的連接子が電源子から離脱する場合には、制御回路板により発光子が自動的に点灯され、そしてスイッチは、発光子をオン又はオフ状態を制御することができる。
【００１７】
本発明の請求項１３に記載の電気スタンドによると、電源子は、第１充電コネクタと、第１発光給電コネクタと、を含み、それに応じて、電気的連接子は、第２充電コネクタと、第２発光給電コネクタと、を含み、第２充電コネクタが蓄電モジュールと電気的に連接し、第２発光給電コネクタが発光子と電気的に連接し、支持チューブに照明装置を組付けた場合には、第１充電コネクタが第２充電コネクタと電気的に連接し、第１発光給電コネクタが第２発光給電コネクタと電気的に連接する。
【００１８】
本発明の請求項１４に記載の電気スタンドによると、アームの他端には、第１連接部材が設けられ、照明装置の支持チューブと連接する端部には、第２連接部材が設けられ、支持チューブに照明装置を脱着可能にするために、第１連接部材と第２連接部材との形状は互いに嵌合可能な形状にされる。
【００１９】
本発明の請求項１５に記載の電気スタンドによると、アームには、シャフトが設けられ、シャフトにより照明装置をアームに寄らせて収納可能である。
【００２０】
本発明の請求項１６に記載の電気スタンドによると、電気的連接子は、電子装置と電気的に連接するコネクタであり、これにより、コネクタが電子装置から電力を取ることができる。
【００２１】
本発明の請求項１７に記載の電気スタンドによると、電気的連接子は、自動車の電源コンセントと電気的に連接する自動車用アダプターと電気的に連接し、これにより、電気的連接子は自動車用アダプターから電力を取ることができる。
【００２２】
本発明の請求項１８に記載の電気スタンドによると、電気的連接子は、風力発電装置と電気的に連接し、これにより、電気的連接子は風力発電装置から電力を取ることができる。
【００２３】
本発明の請求項１９に記載の電気スタンドによると、電気的連接子は、ソーラーエネルギー電池と電気的に連接し、これにより、ソーラーエネルギー電池から電力を取ることができる。
【発明の効果】
【００２４】
本発明の照明装置とそれを有する電気スタンドによれば、次のような効果がある。
（１）平常時に、電気スタンドとして使用し、市電が切られたときに懐中電灯または緊急照明装置として使用することができる。
【００２５】
（２）蓄電モジュールを使用することにより、一次電池を用意することが必要なく、一次電池を頻繁に交換する必要もなくなる。
【００２６】
（３）支持チューブに照明装置を快速で正確に脱着可能であるので、収納スペースが大きく掛からず、市電が切られたときに懐中電灯または緊急照明装置を探す必要がない。
【００２７】
（４）部材をモジュール化にすることができるので、生産性が向上し、生産コストが減少する。
【００２８】
（５）支持チューブの回動構造により、電気スタンドに対してアームを容易に回動可能である。
【００２９】
（６）電気スタンドには、電気スタンドスイッチが設けられるので、電気スタンドスイッチにより電気スタンドのオン又はオフを制御することができ、そして照明装置には、スイッチが設けられるので、電気スタンドから取外された照明装置は、スイッチにより発光子のオン又はオフを制御することができる。
【図面の簡単な説明】
【００３０】
【図１】本発明の電気スタンドの斜視図である。
【図２】本発明の電気スタンドから照明装置が取外された状態の模式図である。
【図３】本発明の照明装置の分解斜視図である。
【図４】本発明の支持チューブの分解斜視図である。
【図５】本発明の回動構造の組合状態の模式図である。
【図６】本発明の回動構造の分解斜視図である。
【図７】本発明の台座の干渉ブロックの模式図である。
【図８】本発明の電源子と電気的連接子と連接部材との分解斜視図である。
【図９】本発明のアームの折畳状態の模式図である。
【発明を実施するための形態】
【００３１】
以下、本発明の実施の形態を図面に基づいて説明する。まず、図１を参照する。図１は本発明の電気スタンド３０の斜視図である。電気スタンド３０は、支持チューブ３２と、支持チューブ３２に脱着可能な照明装置３４と、を含む。支持チューブ３２に照明装置３４を結合すると、電気スタンド３０が構成される。
【００３２】
図２を参照する。図２は本発明の電気スタンド３０から照明装置３４が取外された状態の模式図である。支持チューブ３２から照明装置３４を分離すると、照明装置３４は携帯可能な照明設備になる。
【００３３】
図３を参照する。図３は本発明の照明装置３４の分解斜視図である。照明装置３４は、更に、発光子４０と、笠４１と、電気的連接子４２と、蓄電モジュール４３と、を含む。
【００３４】
発光子４０は、発光ダイオードでもよく、蛍光灯でもよいが、本実施形態では、発光子４０が複数の発光ダイオードから構成される。笠４１は、アルミなどの素材で一体成形されたものであり、開口４４を有し、発光子４０を収容し、発光子４０からの光線が開口４０を通過して外部を照明する。本実施形態では、笠４１が円筒形状を呈するので、見栄えが良くて生産性がよい。なお、本発明の笠４１は、円筒形状に限定されなく、矩形や螺旋形状などの形状にしてもよい。
【００３５】
電気的連接子４２は、パワー端子ユニットでもよい、パワーコネクタでもよい。電気的連接子４２は、笠４１の一側に組み付けられ、笠４１の支持チューブ３２に隣接する端部に設けられる。また、電気的連接子４２は、第２連接部材７２と結合し、照明装置３４の外部から電力を取り込むインターフェースであり、発光子４０と電気的に連接し、支持チューブ３２に脱着可能である。支持チューブ３２に照明装置３４を取付けた場合には、電気的連接子４２が支持チューブ３２の市電に差し込まれ、発光子４０は、電気的連接子４２を介して市電からの電力を受けて発光する。
【００３６】
蓄電モジュール４３は、リチウムイオン電池でもよく、充電可能な何れかの二次電池でもよい。支持チューブ３２に照明装置３４を取付けた場合には、蓄電モジュール４３が電気的連接子４２を介して市電からの電力を受けて充電される。支持チューブ３２から照明装置３４を取外した場合には、蓄電モジュール４３が直流電源とされ発光子４０に電力を供給する。
【００３７】
別の実施形態において、前記電気的連接子４２は、例えばＵＳＢなどのコネクタであり、前記コネクタがＵＳＢのケーブルを介してコンピュータなどの電子装置から電力を取り、これにより、前記発光子４０を発光し、又は前記蓄電モジュール４３を充電することができる。一方、前記電気的連接子４２は、自動車の電源コンセントと電気的に連接する自動車用アダプターと電気的に連接してもよい。そうすると、前記電気的連接子４２は自動車用アダプターから電力を取ることができる。前記電気的連接子４２は、ソーラーエネルギー電池と電気的に連接してもよく、そうすると、ソーラーエネルギー電池から電力を取ることができる。また、前記電気的連接子４２は、風力発電装置と電気的に連接してもよく、そうすると、風力発電装置から電力を取ることができる。前記風力発電装置は、自転車に取付けられ扇風機の構造と良く似るものであり、自転車が走行しているときに前記風力発電装置が電力を発生する。
【００３８】
照明装置３４は、更に、スイッチ４５を含む。スイッチ４５は、照明装置３４の外面に設けられ、本実施形態では、スイッチ４５が笠４１の支持チューブ３２から遠ざかった一端に設けられる。本発明のスイッチ４５は、笠４１の上面に設けられてもよく、笠４１の下面に設けられてもよく、又は、笠４１の側面に設けられてもよい。スイッチ４５は、発光子４０と電気的に連接し、発光子４０のオン又はオフを制御する。
【００３９】
照明装置３４は、更に、制御回路板４６を含む。制御回路板４６は、笠４１の内部に固定され、電気的連接子４２およびスイッチ４５と電気的に連接する。照明装置３４が支持チューブ３２から取外されることによって電気的連接子４２が電源子５０から離脱する場合には、スイッチ４５により発光子４０をオン又はオフ状態を制御してもよく、制御回路板４６により発光子４０を自動的に点灯してもよい。
【００４０】
照明装置４４は、更に、透明マスク４７を含む。透明マスク４７は笠４１の開口４４を覆う。これにより、照明装置４４の内部にホコリが侵入することを防止でき、見栄えも良くなる。
【００４１】
図４を参照する。図４は本発明の支持チューブ３２の分解斜視図である。支持チューブ３２は電源子５０を有し、電源子５０は、ケーブル及びプラグを介して市電と電気的に連接し市電からの電力を受ける。実際には、電源子５０は、端子ユニットでもよく、コネクタでもよく、又は、電気的連接子４２を挿入可能な何れかのものでもよい。電源子５０に電気的連接子４２を挿入すると、市電からの電力が発光子４０と蓄電モジュール４３とに供給される。支持チューブ３２は、更に、台座５２と、アーム５４と、を含む。アーム５４の一端が台座５２に固定され、アーム５４の他端には、電源子５０が組み付けられる。
【００４２】
次に、図４から７を参照する。図５は本発明の回動構造５６の組合状態の模式図であり、図６は本発明の回動構造５６の分解斜視図であり、図７は本発明の台座５２の干渉ブロックの模式図である。支持チューブ３２は、更に、回動構造５６を含む。アーム５４は回動構造５６を介して台座５２に固定される。回動構造５６は、更に、下部連接具５６０２と、上部連接具５６０４と、を含む。
【００４３】
耐久性を良くするために、下部連接具５６０２と上部連接具５６０４は金属製のものであることが好ましい。下部連接具５６０２は、下方に向くように台座５２に固定される。台座５２との間には回動可能収容空間５６０８が設けられ、その上では貫通孔５６０６が設けられる。
【００４４】
上部連接具５６０４は、上方に向くようにアーム５４の底端に固定され、その下部には膨大な回動部材９０が設けられる。回動部材９０は、回動可能に回動可能収容空間５６０８に収容される。上部連接具５６０４のアーム５４に固定する部分は、下部連接具５６０２の貫通孔５６０６の上方から貫通孔５６０６に貫入され、回動可能収容空間５６０８まで伸ばされる。組付作業を便利にするために、上部連接具５６０４と回動部材９０とは、別体にされ、貫通孔５６０６を介して締結されることが好ましい。
【００４５】
回動可能収容空間５６０８の内部に回動部材９０が回動自在であるので、アーム５４は台座５２に対して回動可能である。
【００４６】
図６及び７を参照する。本実施形態では、回動部材９０の台座５２に隣接する表面には、第１干渉ブロック６０が二つ設けられる。台座５２の回動部材９０に隣接する表面には、第２干渉ブロック６２が二つ設けられる。回動可能収容空間５６０８の内部に回動部材９０が回転しているときには、第１干渉ブロック６０が第２干渉ブロック６２と干渉し、これにより、アーム５４の台座５２に対する回動可能な角度が規制される。このような構成によれば、電気スタンド３０の使用性が向上し、価値感も増加する。
【００４７】
図４を参照する。支持チューブ３２は、更に、電気スタンドスイッチ５８を有する。電気スタンドスイッチ５８は、上部連接具５６０４とアーム５４の一端との間に挟まれ、台座５２から外部に露出する上面を有する。前記上面によりユーザは電気スタンドスイッチ５８を容易に操作することができる。電気スタンドスイッチ５８により、支持チューブ３２に取付けられた発光子４０のオン又はオフ状態を制御することができる。更に、電気スタンドスイッチ５８は、感光性抵抗でもよく、オン又はオフ式スイッチでもよく、又は、それ以外の何れかのスイッチでもよい。電気スタンドスイッチ５８が感光性抵抗である場合には、周りが暗くなると、照明装置３４を自動的に点灯することができる。
【００４８】
図８を参照する。図８は本発明の電源子５０と電気的連接子４２と連接部材との分解斜視図である。アーム５４の他端には、第１連接部材７０が設けられる。照明装置３４の支持チューブ３２と連接する端部には、第２連接部材７２が設けられる。支持チューブ３２に照明装置３４を快速で正確に脱着可能にするために、第１連接部材７０と第２連接部材７２との形状は互いに嵌合可能な形状にされる。
【００４９】
また、電源子５０は、第１充電コネクタ７０Ａと、第１発光給電コネクタ７０Ｂと、を含む。それに応じて、電気的連接子４２は、第２充電コネクタ７２Ａと、第２発光給電コネクタ７２Ｂと、を含む。第２充電コネクタ７２Ａが蓄電モジュール４３と電気的に連接し、第２発光給電コネクタ７２Ｂが発光子４０と電気的に連接する。支持チューブ３２に照明装置３４を組付けた場合には、第１充電コネクタ７０Ａが第２充電コネクタ７２Ａと電気的に連接し、第１発光給電コネクタ７０Ｂが第２発光給電コネクタ７２Ｂと電気的に連接する。これにより、市電からの電力が発光子４０と蓄電モジュール４３とに供給される。
【００５０】
図９を参照する。図９は本発明のアーム５４の折畳状態の模式図である。アーム５４には、更に、シャフト８０が設けられる。シャフト８０により、アーム５４が二段式となり、照明装置３４をアーム５４に寄らせて収納可能となる。これにより、電気スタンド３０を収納する収納スペースが減少し、運搬が便利になる。
【００５１】
このように、本発明が、特定の例を参照して説明されたが、それらの例は、説明のためだけのものであり、本発明を限定するものではなく、この分野に通常の知識を有する者には、本発明の精神および範囲を逸脱することなく、ここで開示された実施例に変更、追加、または、削除を施してもよいことがわかる。
【産業上の利用可能性】
【００５２】
本発明は、電気スタンドに適用することができる。
【符号の説明】
【００５３】
３０  電気スタンド
３２  支持チューブ
３４  照明装置
４０  発光子
４１  笠
４２  電気的連接子
４３  蓄電モジュール
４４  開口
４５  スイッチ
４６  制御回路板
４７  透明マスク
５０  電源子
５２  台座
５４  アーム
５６  回動構造
５８  電気スタンドスイッチ
６０  第１干渉ブロック
６２  第２干渉ブロック
７０  第１連接部材
７２  第２連接部材
７０Ａ  第１充電コネクタ
７０Ｂ  第１発光給電コネクタ
７２Ａ  第２充電コネクタ
７２Ｂ  第２発光給電コネクタ
８０  シャフト
５６０２  下部連接具
５６０４  上部連接具
５６０６  貫通孔
５６０８  回動可能収容空間
【図１】
2010272501.tif 000003
【図２】
2010272501.tif 000004
【図３】
2010272501.tif 000005
【図４】
2010272501.tif 000006
【図５】
2010272501.tif 000007
【図６】
2010272501.tif 000008
【図７】
2010272501.tif 000009
【図８】
2010272501.tif 000010
【図９】
2010272501.tif 000011